(57)【要約】      （修正有）【課題】内部への異物の進入を防止し、且つ、構成が簡単で、保守点検作業を容易に実施することができる機械室レスエレベータの制御装置を得る。【解決手段】エレベータ昇降路内に設けられ、下部に吸気口が形成され、前面に常時開口状態の保守点検口２ａが形成された筐体２と、筐体内に設けられ、吸気口から筐体の外部の空気を取り込むファン５と、吸気口から空気とともに筐体内に取り込まれた異物を取り除くフィルター４と、を備え、吸気口から筐体内に取り込まれた空気を、筐体内に配置された制御機器１の冷却後に保守点検口から筐体の外部に排出する。【選択図】図１
2007182297.tif 000002
【特許請求の範囲】
【請求項１】
エレベータ昇降路内に設けられ、下部に吸気口が形成され、前面に常時開口状態の保守点検口が形成された筐体と、
前記筐体内に設けられ、前記吸気口から前記筐体の外部の空気を取り込むファンと、
前記吸気口から前記空気とともに前記筐体内に取り込まれた異物を取り除くフィルターと、
を備え、
前記吸気口から前記筐体内に取り込まれた前記空気は、前記筐体内に配置された制御機器を冷却して、前記保守点検口から前記筐体の外部に排出されることを特徴とする機械室レスエレベータの制御盤装置。
【請求項２】
吸気口から筐体内に取り込まれた空気は、保守点検口から前記筐体の外部に常時排出されることを特徴とする請求項１に記載の機械室レスエレベータの制御盤装置。
【請求項３】
保守点検口は、前記筐体の前面上部に形成され、前記筐体内に配置された制御機器の一部が昇降路内から見える所定の大きさを有することを特徴とする請求項１又は請求項２に記載の機械室レスエレベータの制御盤装置。
【請求項４】
保守点検口は、筐体内に配置された制御機器の全てが昇降路内から見える所定の大きさを有することを特徴とする請求項１又は請求項２に記載の機械室レスエレベータの制御盤装置。
【請求項５】
筐体は、鉛直投影面上、昇降路壁とかごとの間に配置されたことを特徴とする請求項１から請求項４の何れかに記載の機械室レスエレベータの制御装置。
【請求項６】
筐体は、背面が昇降路壁に固定され、下面に吸気口が形成されたことを特徴とする請求項５に記載の機械室レスエレベータの制御盤装置。
【請求項７】
筐体内に配置された制御機器は、背面側に固定され、下方に配置されたものから上方に配置されたものに向かうに従って、背面側からの突出量が大きくなるように配置されたことを特徴とする請求項５又は請求項６に記載の機械室レスエレベータの制御盤装置。
【発明の詳細な説明】
【技術分野】
【０００１】
この発明は、機械室レスエレベータの昇降路内に設置された制御盤装置に関するものである。
【背景技術】
【０００２】
エレベータの昇降路上方に機械室が設置されていない機械室レスエレベータ装置では、エレベータの巻上機や制御盤装置等、従来機械室に設置されていたエレベータ機器類を昇降路内に配置する必要がある。このため、エレベータ機器類は、昇降路内を昇降するかごや釣合い重りに干渉することがないように、その設置スペースが著しく制限されている。
【０００３】
このようにエレベータ機器類の設置スペースに制限のある機械室レスエレベータ装置では、制御盤装置は、通常、鉛直投影面上昇降路内を昇降するかごと昇降路壁との間に配置され、その前面には、保守点検口が形成されている。そして、この保守点検口は、制御盤装置の内部に塵埃や虫等の異物が進入することを防止するため、扉やカバー等で塞がれているのが一般的である。
【０００４】
なお、機械室レスエレベータに使用される従来の制御盤装置として、鉛直投影面上かごと昇降路壁との間に配置されて、その前面に保守点検口を有するとともに、この保守点検口を開閉自在な扉によって塞ぐものや、上下に移動自在な自閉式の扉によって塞ぐものが提案されている（例えば、特許文献１参照）。
【０００５】
【特許文献１】特開２０００−１５９４５２号公報
【発明の開示】
【発明が解決しようとする課題】
【０００６】
特許文献１記載の機械室レスエレベータの制御盤装置では、保守点検口を開閉する扉がかごや釣合い重りに干渉することを防止するため、制御盤装置の配置にさらに制限が加わってしまうという問題が生じていた。また、かごや釣合い重りとの干渉を防止するために、扉の大きさ、即ち、保守点検口の大きさにも制限が加わり、保守点検作業の作業効率が悪化するといった問題もあった。なお、自閉式の扉を有するものは、その構造が複雑化するとともに、保守点検作業中に開放状態を維持する機構も必要となって、その構造がさらに複雑になるといった問題も生じていた。
【０００７】
この発明は、上述のような課題を解決するためになされたもので、その目的は、内部への異物の進入を防止し、且つ、構成が簡単で、保守点検作業を容易に実施することができる機械室レスエレベータの制御装置を提供することである。
【課題を解決するための手段】
【０００８】
この発明に係る機械室レスエレベータの制御盤装置は、エレベータ昇降路内に設けられ、下部に吸気口が形成され、前面に常時開口状態の保守点検口が形成された筐体と、筐体内に設けられ、吸気口から筐体の外部の空気を取り込むファンと、吸気口から空気とともに筐体内に取り込まれた異物を取り除くフィルターと、を備え、吸気口から筐体内に取り込まれた空気は、筐体内に配置された制御機器を冷却して、保守点検口から筐体の外部に排出されるものである。
【発明の効果】
【０００９】
この発明は、エレベータ昇降路内に設けられ、下部に吸気口が形成され、前面に常時開口状態の保守点検口が形成された筐体と、筐体内に設けられ、吸気口から筐体の外部の空気を取り込むファンと、吸気口から空気とともに筐体内に取り込まれた異物を取り除くフィルターと、を備え、吸気口から筐体内に取り込まれた空気は、筐体内に配置された制御機器を冷却して、保守点検口から筐体の外部に排出される構成としたことで、内部への異物の進入を防止し、且つ、構成が簡単で、保守点検作業を容易に実施することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１における機械室レスエレベータの制御盤装置の側面図、図２はその正面図であり、昇降路の上方に機械室が設置されていない機械室レスエレベータの制御盤装置であって、昇降路内に配置されたものを示している。図１及び図２において、内部に各種制御機器１が設けられた筐体２は、その背面が昇降路壁３に固定されて、昇降路内の所定の高さに配置されている。なお、筐体２が最外部を形成する制御盤装置は、鉛直投影面上、昇降路内を昇降するかご（図示せず）又は釣合い重り（図示せず）と昇降路壁３との間に配置され、昇降路内を昇降するかごや釣合い重りと干渉することがないように配置されている。
【００１２】
ここで、上記筐体２は略直方体状を呈し、固定された昇降路壁３に直交する方向に薄型化されて、設置スペースの低減化が図られている。そして、その下面には吸気口（図示せず）が形成されており、吸気口を筐体２内から塞ぐように、エアフィルター４が設けられている。即ち、吸気口から筐体２内に進入した空気は、必ずエアフィルター４を通過するように構成されている。また、筐体２内には、エアフィルター４の僅か上方となるその下部に、複数の冷却ファン５が設けられている。そして、この冷却ファン５は、その羽根が回転することにより、冷却ファン５の下方から上方に空気を送るように配置されている。なお、筐体２内に配置された各種制御機器１は、筐体２内において昇降路壁３に対向する側面（背面）側に固定されており、その背面側からの突出量の小さいものが下方に、大きいものが上方に配置され、下方に配置されたものから上方に配置されたものに向かうに従って、背面側からの突出量が大きくなる階段状を呈するように設けられている。そして、筐体２には、背面に対向する側面（前面）に、筐体２内に配置された制御機器１の全てが昇降路の内部側から見えるような所定の大きさを有する常時開口状態の保守点検口２ａが形成されている。
【００１３】
かかる構成を有する制御盤装置では、冷却ファン５が駆動されてその羽根が回転することにより、筐体２の外部の空気が、筐体２の下面に形成された吸気口を通って筐体２の内部に取り込まれる。ここで、筐体２内に取り込まれた空気は、エアフィルター４を通過することによって塵埃等の異物が取り除かれ、冷却ファン５によってさらに上方に送られる。そして、吸気口から筐体２内に取り込まれた空気は、筐体２内に設けられた各種制御機器１と熱交換しながら、即ち、各種制御機器１を冷却しながら筐体２内を移動し、冷却ファン５の設置位置よりも上方に形成された保守点検口２ａを通って筐体２の外部に排出される。即ち、保守点検口２ａは、制御機器１を冷却するために筐体２内に取り込まれた空気を筐体２の外部に排出する排気口としての機能も備えている。なお、６は筐体２内を移動する空気流を示したものである。
【００１４】
なお、上記冷却ファン５は、制御機器１を冷却するため、常時駆動されている。したがって、保守点検口２ａからは、吸気口から筐体２内に取り込まれた空気が常時排出されており、筐体２の内部から保守点検口２ａを通って筐体２の外部に排出される空気流６が常時形成されている。
【００１５】
この発明の実施の形態１によれば、筐体２の前面に形成された保守点検口２ａからは、冷却ファン５によって吸気口から筐体２内に取り込まれた筐体２の外部の空気が常時排出されているため、従来のように、保守点検口２ａを開閉する扉やカバーが設けられていなくても、昇降路内の塵埃や虫７等の異物が保守点検口２ａから筐体２の内部に進入する恐れはなく、制御盤装置の内部への異物の侵入を防止しつつ、その構成を簡素化することができる。なお、筐体２の下部に設けられたエアフィルター４によって、吸気口から筐体２の外部の空気とともに筐体２内に取り込まれた異物が取り除かれるため、吸気口から筐体２の内部に異物が進入する恐れもない。
【００１６】
また、保守点検口２ａを開閉する扉等を必要としないため、扉等の開閉に要するスペースも不要となり、制御盤装置を昇降路内に設置する自由度を大幅に改善することができる。このため、従来では制御盤装置を設置することのできなかった、かごと昇降路壁３との間に形成される狭い空間にも容易に配置することが可能となり、昇降路内空間の有効活用にも貢献できる。また、保守点検口２ａを開閉する扉等を必要としないため、保守点検口２ａを大きく形成して、保守点検時の作業性を向上させることも可能である。特に、制御盤装置が昇降路ピット部から手の届かない高さに配置された場合には、保守作業員は、ピット部よりも足場の悪いかご上に乗って制御盤装置の保守作業を実施しなければならないため、例えば、筐体２内に配置された制御機器１の全てが見えるように保守点検口２ａが大きく形成されることにより、保守点検時の作業性を大幅に改善させることができる。
【００１７】
また、筐体２内に配置された制御機器１は、下方に配置されたものから上方に配置されたものに向かうに従って、背面側からの突出量が大きくなる階段状を呈するように設けられているため、筐体２内に形成される空気流６が、全ての制御機器１を冷却するように筐体２内部全体に渡り、放熱性にも優れたものとなる。
【００１８】
なお、実施の形態１においては、吸気口が筐体２の下面に形成されている場合について説明したが、冷却ファン５によって筐体２内に取り込まれた空気が、制御機器１を冷却して、保守点検口２ａから筐体２の外部に排出されれば同様の効果を得ることは可能である。但し、筐体２の下部、特に、筐体２の下面に吸気口を形成することによって、空気とともに吸気口を通過する異物をなるべく少なくすることが可能となる。また、従来のように制御盤装置が機械室に設置されていた場合には、保守点検口２ａを塞ぐ扉等が備えられていないと、機械室内の者が不用意に内部機器に触れる恐れがあったが、機械室レスエレベータ装置における制御盤装置は、外部の者が立ち入ることのできない昇降路内に設置されているため、保守点検口２ａが常時開口された状態であっても特に問題となることはない。
【００１９】
実施の形態２．
図３はこの発明の実施の形態２における機械室レスエレベータの制御盤装置の側面図、図４はその正面図であり、実施の形態１と同様に、昇降路の上方に機械室が設置されていない機械室レスエレベータの制御盤装置であって、昇降路内に配置されたものを示している。図３及び図４において、筐体２内に配置された各種制御機器１は、実施の形態１と同様に筐体２の背面側に固定されており、その背面側からの突出量の小さいものが下方に、大きいものが上方に配置され、下方に配置されたものから上方に配置されたものに向かうに従って、背面側からの突出量が大きくなる階段状を呈するように設けられている。
【００２０】
また、筐体２の前面には、その上部に、筐体２内の最上部に配置されて最も突出量の大きい制御機器１ａが昇降路の内部側から見えるような所定の大きさを有する常時開口状態の保守点検口２ｂが形成されている。なお、上記制御機器１ａは、筐体２内で横一列に配置され、他の制御機器１よりも保守点検頻度の高いものが集められている。なお、その他は実施の形態１と同様の構成を有する。
【００２１】
この発明の実施の形態２によれば、筐体２の前面に形成された保守点検口２ｂからは、冷却ファン５によって吸気口から筐体２内に取り込まれた筐体２の外部の空気が常時排出されているため、実施の形態１と同様に、制御盤装置の内部への異物の侵入を防止しつつ、その構成を簡素化することができる。また、保守点検口２ｂの大きさを、制御機器１の一部、即ち、保守点検頻度の高い制御機器１ａが昇降路内から見える程度にしても、保守点検時の作業性を悪化させるようなことはなく、実質的に実施の形態１と同様の効果を奏することが可能である。なお、保守点検口２ｂを実施の形態１における保守点検口２ａよりも小さくすることにより、筐体２内及び保守点検口２ｂ通過時の空気の流速を速めることができ、放熱性を向上させ、且つ、筐体２内への異物の進入を確実に防止することが可能となる。また、吸気口を筐体２の下部（下面）に、保守点検口２ｂを筐体２の前面上部に形成することにより、空気流６を筐体２内全体に形成することができる。
【図面の簡単な説明】
【００２２】
【図１】この発明の実施の形態１における機械室レスエレベータの制御盤装置の側面図である。
【図２】この発明の実施の形態１における機械室レスエレベータの制御盤装置の正面図である。
【図３】この発明の実施の形態２における機械室レスエレベータの制御盤装置の側面図である。
【図４】この発明の実施の形態２における機械室レスエレベータの制御盤装置の正面図である。
【符号の説明】
【００２３】
１、１ａ  制御機器
２  筐体
２ａ、２ｂ  保守点検口
３  昇降路壁
４  エアフィルター
５  冷却ファン
６  空気流
７  虫
【図１】
2007182297.tif 000003
【図２】
2007182297.tif 000004
【図３】
2007182297.tif 000005
【図４】
2007182297.tif 000006